【事件の表示】
　特願２０１５−　８１５３０号「遊技機」拒絶査定不服審判事件〔平成２７年　７月１６日出願公開、特開２０１５−１２８６８７号〕について、次のとおり審決する。
【結　論】
　本件審判の請求は、成り立たない。
【理　由】
第１　手続きの経緯
　本願は、平成２３年６月３０日に出願した特願２０１１−１４５１３１号の一部を平成２７年４月１３日に新たな特許出願（特願２０１５−８１５３０号）としたものであって、平成２８年４月２１日付けで拒絶の理由が通知され、平成２８年６月２２日に意見書及び手続補正書が提出され、平成２８年１１月２４日付けで最後の拒絶の理由が通知され、平成２９年１月１９日に意見書及び手続補正書が提出されたところ、平成２９年６月１４日付け（発送日：平成２９年６月２０日）で、平成２９年１月１９日付け手続補正が却下されるとともに拒絶査定がなされ、それに対して、平成２９年９月１３日に拒絶査定不服審判の請求がなされると同時に手続補正がなされ、これに対し、当審において、平成３０年５月３１日付けで拒絶の理由が通知され、平成３０年７月３１日に意見書及び手続補正書が提出されたものである。
第２　本願請求項１に記載された発明 
　平成３０年７月３１日付け手続補正は、特許請求の範囲を補正する内容を含んでおり、当該補正後の特許請求の範囲の請求項１に係る発明は次のとおりのものである（以下「本願発明」という。Ａ〜Ｅは分説のため当審にて付与した。）。 
「Ａ　表面に遊技制御用の電子部品が実装される制御基板と、該制御基板を内部に収納するための透明な基板ボックスとを備えた遊技機において、
Ｂ　前記基板ボックスに収納前の前記制御基板は、
Ｂ１　複数の機種に共通の配線パターンが設けられ、前記電子部品が実装される実装領域部と、
Ｂ２　各々に異なる識別情報が表示され、前記配線パターンが設けられない複数の識別領域部と、
Ｂ３　前記実装領域部と前記複数の識別領域部との間に設けられた破断部と、
　を備え、
Ｃ　前記基板ボックスは、
Ｃ１　前記複数の識別領域部のうち特定の識別領域部以外の識別領域部を前記破断部において切除した状態の前記制御基板を収納するものであり、
Ｃ２　前記制御基板の表面に対向する面の前記識別領域部の識別情報表示面に対向する部分に、当該識別領域部に向けて落ち込む段差部を備え、
Ｃ３　前記制御基板の表面に対向する部分が、カバー部材により、前記段差部に当接しないようにカバーされ、
Ｄ　前記制御基板は、
Ｄ１　前記識別領域部が、前記制御基板の一側縁に前記実装領域部の一部と並んで形成されており、
Ｄ２　前記識別領域部と前記実装領域部の前記一部との境界に切り込み部を有する
Ｅ　ことを特徴とする遊技機。」
第３　当審の平成３０年５月３１日付け拒絶理由の概要 
　当審の平成３０年５月３１日付け拒絶理由の概要は以下のとおりである。
１）本件出願の請求項１に係る発明は、その出願前日本国内または外国において頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
２）本件出願は、特許請求の範囲の記載が特許法第３６条第６項第２号に規定する要件を満たしていない。
　　　　　　　　　　　引　用　文　献　等　一　覧
１．特開２００６−１０２２４５号公報 
２．特開２００６−０６８１１２号公報（新たに引用された文献）
３．特開２００８−１３６４９７号公報（新たに引用された文献）
第４　刊行物に記載された事項 
１　刊行物１の記載
（１）　当審の平成３０年５月３１日付け拒絶理由において上記第３で示したとおり提示され、本願の出願前に頒布された刊行物である特開２００６−１０２２４５号公報（以下「刊行物１」という。）には、図面とともに以下の事項が記載されている（下線は当審で付した。）。
ア　「【特許請求の範囲】
【請求項１】
　
遊技機を制御する各種の電子部品を実装するためのベース基板
　前記ベース基板上に形成された配線パターンと、
　前記ベース基板上に表示された識別標識と
　を備える遊技機の制御基板であって、
　前記識別標識は、前記ベース基板上における前記配線パターンの形成領域以外の領域に複数表示されており、
　各前記識別標識は、前記制御基板を特定するための同種類の表示である
　ことを特徴とする遊技機の制御基板。
…
【請求項７】
　遊技機を制御する各種の電子部品を実装するためのベース基板上に、配線パターンが形成されるとともに、識別標識が表示された遊技機の制御基板の製造方法であって、
　前記ベース基板上における前記配線パターンの形成領域以外の領域に、前記制御基板を特定するための同種類の前記識別標識を複数表示した後、
　前記ベース基板ごと、
各前記識別標識から選択した１つの前記識別標識以外の前記識別標識の表示領域部分をすべて前記ベース基板から切除する
　ことを特徴とする遊技機の制御基板の製造方法。」
イ　「【００２２】
　すなわち、
識別標識が、
遊技機の製造業者であれば
異なる複数の遊技機の製造業者がすべて一緒に表示される
識別標識が、
遊技機の機種であれば
異なる複数の遊技機の機種がすべて一緒に表示される
識別標識が
制御基板の種類であれば
異なる複数の制御基板の種類がすべて一緒に表示される
【００２３】
　このように、この制御基板には、制御基板を特定するための同種類の表示が複数あるので、ベース基板上に形成された
配線パターンが同一の制御基板を使用する
異なる遊技機の機種
に共通して使用することが可能となり
【００２４】
　そして、この制御基板を実際に使用する遊技機の製造業者、遊技機の機種、制御基板の種類等が確定したならば、その時点で、不要な遊技機の製造業者、遊技機の機種、制御基板の種類等を切除して出荷すれば良い。
したがって、本発明の遊技機の制御基板は、配線パターンが同一の制御基板を量産して在庫しておくことができ
 
ウ　「【００４０】
　図１は、本発明の遊技機の
制御基板を使用した弾球遊技機１０
　図１に示すように、弾球遊技機１０の遊技領域１１には、図柄変動表示装置１２、発射装置から発射された遊技球の特定入賞口１３、大入賞口１４、及びアウト口１５等が配置されている。」
エ　「【００４９】
　次に、本発明の遊技機の制御基板の実施形態について説明する。
　
図３は、本発明の遊技機の制御基板の一実施形態であるメイン制御基板２０を示す斜視図であり、在庫時の状態を示す図である。
　
図３に示すように、メイン制御基板２０は、絶縁性のベース基板２１
を備えている
このベース基板２１上の配線パターン２２に合わせて各種の電子部品（図示せず）を実装する
【００５０】
　ここで、ベース基板２１上における
配線パターン２２の形成領域以外の領域
ベース基板２１の一辺側の端部
には
製造業者２３（本発明における識別標識に相当するもの）が３つ表示（×印、○印、△印）されている
【００５１】
　すなわち、図３に示すメイン制御基板２０は、３つの製造業者２３ａ，２３ｂ，２３ｃに共通して出荷できるものであり、各製造業者２３ａ，２３ｂ，２３ｃの表示は、ベース基板２１上に配線パターン２２をプリント形成するのと同時に、同様の方法でプリント形成されている。
【００５２】
　また、ベース基板２１上の配線パターン２２、及び
各製造業者２３ａ，２３ｂ，２３ｃの表示領域部分
【００５３】
　図４は、本発明の遊技機の制御基板の一実施形態であるメイン制御基板２０を示す斜視図であり、出荷先が製造業者２３ａである場合を示す図である。
　上述したように、出荷先が
製造業者２３ａ
製造業者２３ｂ，２３ｃの表示領域部分を切除する
…
【００５５】
　したがって、ベース基板２１上には、絶縁皮膜２４で覆われた配線パターン２２、及び製造業者２３ａの表示領域部分のみが残ることとなり、この
メイン制御基板２０ａ
オ　「【００６６】
　図７及び図８に示す
基板カバー２７及び基板ベース２８は、透明な
成形品からなっている。
【００６７】
　また、図７に示すように、基板ベース２８には、縦横のリブ２９が形成されている。このリブ２９は、メイン制御基板２０ａ（図６参照）を載置するものである。すなわち、図７に示す基板ベース２８のリブ２９上にメイン制御基板２０ａ（図６参照）を載置し、開いた状態となっている基板カバー２７を回転させて閉じれば、図８に示すように、
基板ベース２８の上面側が全面的に基板カバー２７で覆われ、基板カバー２７の内部にメイン制御基板２０ａが収容された略箱形の形状となる。
…
【００７１】
　さらに、
基板ベース２８
と、基板カバー２７
とは、ロック部材３５によって封止される
カ　「【図３】
」
（２）　上記記載から、刊行物１には、次の技術事項が記載されているものと認められる。
ア　上記（１）アの【請求項１】の「遊技機を制御する各種の電子部品を実装するためのベース基板」との記載、上記（１）エの【００４９】の「メイン制御基板２０は、絶縁性のベース基板２１…を備えている。…このベース基板２１上の配線パターン２２に合わせて各種の電子部品（図示せず）を実装する」との記載から、刊行物１には、「遊技機を制御する各種の電子部品が実装されるベース基板２１を備えるメイン制御基板２０ａ」が記載されているといえる。
イ　上記（１）オの【００６６】の記載から、刊行物１には、「透明な基板カバー２７及び基板ベース２８」が記載されているといえ、上記（１）オの【００７１】の記載から、「基板カバー２７及び基板ベース２８」は、「ロック部材３５によって封止される」といえる。また、【００６７】には、「基板ベース２８の上面側が全面的に基板カバー２７で覆われ、基板カバー２７の内部にメイン制御基板２０ａが収容された略箱形の形状となる」と記載されている。
　よって、刊行物１には、「ロック部材３５によって封止される透明な基板カバー２７及び基板ベース２８とを備え、前記基板ベース２８の上面側が全面的に前記基板カバー２７で覆われ、前記基板カバー２７の内部に前記メイン制御基板２０ａが収容された略箱形の形状となること」が記載されているといえる。
ウ　上記（１）エの【００４９】には、「図３は、本発明の遊技機の制御基板の一実施形態であるメイン制御基板２０を示す斜視図であり、在庫時の状態を示す図である。」、「このベース基板２１上の配線パターン２２に合わせて各種の電子部品（図示せず）を実装する」と記載されているから、刊行物１には、「在庫時の状態のメイン制御基板２０」は、「電子部品が実装される配線パターンの形成領域を備えること」が記載されているといえる。
　また、上記（１）イの【００２３】の「配線パターンが同一の制御基板を使用する…異なる遊技機の機種…に共通して使用することが可能となり」との記載から、刊行物１には、「制御基板」に、「異なる遊技機の機種の間で同一である配線パターンが設けられること」が記載されているといえる。また、【００２４】の「したがって、本発明の遊技機の制御基板は、配線パターンが同一の制御基板を量産して在庫しておくことができ」との記載から、上記「制御基板」は、「在庫時の状態のメイン制御基板２０」を意味することが明らかである。
　よって、刊行物１には、「在庫時の状態のメイン制御基板２０」は、「異なる遊技機の機種の間で同一である配線パターンが設けられ、前記電子部品が実装される配線パターンの形成領域を備えること」が記載されているといえる。
エ　上記（１）エの【００５２】には、図３に関し、「各製造業者２３ａ，２３ｂ，２３ｃの表示領域部分」と記載されており、また、図３から、製造業者２３ａの表示領域部分、製造業者２３ｂの表示領域部分、製造業者２３ｃの表示領域部分が設けられていることが見てとれる。そして、上記（１）イの【００２２】の記載から、上記各「製造業者」は「識別標識」であり、これらの「識別標識」は異なるものといえる。
　また、【００５０】の記載から、識別領域の表示領域部分は、「配線パターン２２の形成領域以外」の部分であるといえる。
　したがって、刊行物１には、「在庫時の状態のメイン制御基板２０」は、「各々に異なる識別標識が表示され、前記配線パターンの形成領域以外の部分である複数の表示領域部分」を備えることが記載されているといえる。
オ　上記（１）アの【請求項７】には、「各前記識別標識から選択した１つの前記識別標識以外の前記識別標識の表示領域部分をすべて前記ベース基板から切除する」ことが記載されている。
　また、上記（１）エの【００５３】、【００５５】には、上記「選択した１つの前記識別標識」及び「選択した１つの前記識別標識以外の前記識別標識」の具体例として、それぞれ「製造業者２３ａ」、「製造業者２３ｂ，２３ｃ」が記載されており、「製造業者２３ｂ，２３ｃの表示領域を切除」された基板として「メイン制御基板２０ａ」が記載されている。そして、（２）イに記載のとおり、刊行物１には、上記「メイン制御基板２０ａ」が、「基板カバー２７の内部に」「収容され」ることが記載されているといえる。
　したがって、刊行物１には、「基板カバー２７」が、「前記各識別標識から選択した１つの識別標識以外の識別標識の表示領域部分をすべて切除した状態のメイン制御基板２０ａを内部に収容する」ことが記載されているといえる。
カ　上記（１）エの【００５０】には、「…ベース基板２１の一辺側の端部…には、…製造業者２３（本発明における識別標識に相当するもの）が３つ表示（×印、○印、△印）されている。」と記載されており、また、図３から、製造業者２３ａの表示領域部分、製造業者２３ｂの表示領域部分、製造業者２３ｃの表示領域部分が、メイン制御基板２０の「一辺側の端部」に設けられていることが見てとれる。また、図３から、上記「表示領域部分」が、上記「一辺側の端部」において、「メイン制御基板２０」が備える「ベース基板２１」の一部と並んで形成されていることが見て取れる。
　したがって、刊行物１には、「前記複数の表示領域部分が、前記メイン制御基板２０の一辺側の端部において、前記メイン制御基板２０が備えるベース基板２１の一部と並んで形成されている」ことが記載されているといえる。
キ　上記（１）ア〜カの記載事項、及び、上記（２）ア〜カの認定事項を総合すると、刊行物１には、次の発明（以下、「引用発明」という。）が記載されていると認められる（記号ａ〜ｅは、本願発明の記号Ａ〜Ｅに対応させて付した。）。
「ａ　遊技機を制御する各種の電子部品が実装されるベース基板２１を備えるメイン制御基板２０と、ロック部材３５によって封止される透明な基板カバー２７及び基板ベース２８とを備え、前記基板ベース２８の上面側が全面的に前記基板カバー２７で覆われ、前記基板カバー２７の内部に前記メイン制御基板２０ａが収容された略箱形の形状となる、弾球遊技機１０において、（（１）ウの【００４０】、（２）ア、イ）
ｂ　在庫時の状態のメイン制御基板２０は、
ｂ１　異なる遊技機の機種の間で同一である配線パターンが設けられ、前記電子部品が実装される配線パターンの形成領域と、（（２）ウ）
ｂ２　各々に異なる識別標識が表示され、前記配線パターンの形成領域以外の部分である複数の表示領域部分と、（（２）エ）
　を備え、 
ｃ　前記基板カバー２７は、
ｃ１　前記各識別標識から選択した１つの識別標識以外の識別標識の表示領域部分をすべて切除した状態のメイン制御基板２０ａを内部に収容するものであり、（（２）オ）
ｄ　前記在庫時の状態の前記メイン制御基板２０は、
ｄ１　前記複数の表示領域部分が、前記メイン制御基板２０の一辺側の端部において、前記メイン制御基板２０が備えるベース基板２１の一部と並んで形成されている（（２）カ）
Ｅ　ことを特徴とする弾球遊技機。（（１）ウの【００４０】）」
２　刊行物２の記載
（１）　当審の平成３０年５月３１日付け拒絶理由において上記第３で示したとおり提示され、本願の出願前に頒布された刊行物である特開２００６−０６８１１２号公報（以下「刊行物２」という。）には、図面とともに以下の事項が記載されている（下線は当審で付した。）。
ア　「【００５１】
　また、基板本体１００ａには、識別情報表示領域１２０ａ〜１２０ｄのそれぞれを基板本体１００ａから選択的に除去できるようにする表示領域除去手段が設けられている。具体的に、そのような
表示領域除去手段は
各識別情報表示領域１２０ａ〜１２０ｄの両側に形成され
スリット１２５と、これらのスリット１２５同士を接続するように基板本体１００ａにミシン目状に刻設される切り取り用の連続する複数の貫通穴１２７とから成る。
イ　「【００５６】
　また、本実施形態においては、複数の識別情報表示領域１２０ａ〜１２０ｄが基板本体１００ａの端面に沿って隣接して設けられるとともに、各識別情報表示領域１２０ａ〜１２０ｄの両側に形成され且つ基板本体１００ａの端縁から延びるスリット１２５と、これらのスリット１２５同士を接続するように基板本体１００ａにミシン目状に刻設される切り取り用の連続する複数の貫通穴１２７とにより、識別情報表示領域１２０ａ〜１２０ｄを基板本体１００ａから選択的に除去する表示領域除去手段が構成されている。したがって、
識別情報表示領域１２０ａ〜１２０ｄをミシン目に沿って切り取って基板本体１００ａから簡単に除去することができる
なお、本発明は、前述した実施形態に限定されず、その要旨を逸脱しない範囲で、種々変形して実施できることは言うまでもない。例えば、前述した実施形態では、本発明がスロットマシンに適用されているが、本発明はパチンコ機等の他の遊技機にも適用できる。また、前述した実施形態では、本発明が主基板としてのメイン制御基板１００に適用されているが、本発明は、周辺基板としてのサブ制御基板２００や他の中継基板等にも適用することができる。また、前述した実施形態において、基板本体１００ａに設けられる識別情報表示領域は４つであったが、識別情報表示領域の数は任意である。」
ウ　「【図４】
」
（２）　上記記載から、刊行物２には、次の技術事項が記載されているものと認められる。
ア　図４から、各基板本体１００ａと識別情報表示領域１２０ａ〜１２０ｄとの間に複数の貫通穴１２７が設けられていることが見てとれる。
イ　上記（１）ア〜ウの記載事項、及び、上記（２）アの認定事項を総合すると、刊行物２には、「基板本体１００ａと複数の識別情報表示領域１２０ａ〜１２０ｄとの間にミシン目状に複数の貫通穴１２７を設け、かつ、複数の識別情報表示領域１２０ａ〜１２０ｄの両側にスリット１２５を設ける」との技術事項（以下「刊行物２記載の技術事項」という。）が記載されていると認められる。
３　刊行物３の記載
（１）　当審の平成３０年５月３１日付け拒絶理由において上記第３で示したとおり提示され、本願の出願前に頒布された刊行物である特開２００８−１３６４９７号公報（以下「刊行物３」という。）には、図面とともに以下の事項が記載されている（下線は当審で付した。）。
ア　「【００３０】
　手段１１．手段１乃至９のいずれかにおいて、前記制御基板を
透明性材料により形成された
基板ボックス２７３
　前記製造地表示部を前記制御基板の部品搭載面（部品搭載面５５１ａ）に設け、
　さらに、前記基板ボックスは、前記部品搭載面に搭載された各種電子部品を収容する収容部（収容部５６１）と、当該収容部よりも前記部品搭載面に近い位置にて当該部品搭載面に沿って平板状に延び、前記製造地表示部と対峙する対峙部（上縁側重なり部５６２ａ）とを備えていることを特徴とする遊技機。」
イ　「【０１３２】
　以上のように
用途表示部２７７，２７８及び製造地表示部２７９が形成されていることにより、偽造基板を日本国外で製造し、それを日本国内に輸入しようとする行為を抑制することができる
ウ　「【０１７２】
　主制御装置２７０は、図２４に示すように、上記第１の実施の形態と同様に、ボックスベース２８０と
ボックスカバー２９０とからなる基板ボックス２７３
基板ボックス２７３の内部空間に主制御基板５５１が収容されている
【０１７３】
　主制御基板５５１の部品搭載面５５１ａには、上記第１の実施の形態と同様に、
用途表示部５５５，５５６及び製造地表示部５５７が設けられている。これらの具体的な
表示内容
は上記第１の実施の形態における用途表示部２７７，２７８及び製造地表示部２７９と同一である
【０１７４】
　
ボックスカバー２９０は、
収容部５６１を有するとともに
収容部５６１は、
段差部５６３によってその周壁が構成されている。
エ　「【０１８１】
　上縁側当接領域Ｓに各種表示部５５５〜５５７が設けられていることにより、図２５（ｂ）に示すように、
各種表示部５５５〜５５７はボックスカバー２９０の上縁側重なり部５６２ａと当接している。
…
【０１８３】
　主制御基板５５１の部品搭載面５５１ａにおいてボックスカバー２９０の
上縁側重なり部５６２ａと当接する上縁側当接領域Ｓに製造地表示部５５７を形成した。これにより
当該表示内容を極力近い位置で確認することができる
製造地表示部の視認性が低下してしまい製造地表示の誤認表示が見落とされてしまうといった不都合の発生を抑制することができる
（２）　上記記載から、刊行物３には、次の技術事項が記載されているものと認められる。
ア　上記（１）アの【００３０】の記載及び上記（１）ウの【０１７２】の記載から、刊行物３には、「主制御基板５５１を内部空間に収納する透明な基板ボックス２７３」が記載されており、該「基板ボックス２７３」は「ボックスカバー２９０」を有することが記載されているといえる。
イ　上記（１）イの【０１３２】の「用途表示部２７７，２７８及び製造地表示部２７９が形成されていることにより、偽造基板を日本国外で製造し、それを日本国内に輸入しようとする行為を抑制することができる。」との記載から、「用途表示部２７７，２７８及び製造地表示部２７９」は、不正を抑制するために形成されるものであると認められる。そして、上記（１）ウの【０１７３】に記載されるように、「用途表示部５５５，５５６及び製造地表示部５５７」の「具体的な…表示内容…は上記第１の実施の形態における用途表示部２７７，２７８及び製造地表示部２７９と同一である」から、「用途表示部５５５，５５６及び製造地表示部５５７」も不正を抑制するために形成されるものであると認められる。
ウ　上記（１）ウの【０１７４】の記載と上記（１）エの【０１８１】の記載から、刊行物３には、「ボックスカバー２９０に、収容部５６１の周壁を構成する段差部５６３と上縁側重なり部５６２ａとを設け、各種表示部５５５〜５５７に該上縁側重なり部５６２ａを当接させること」が記載されているといえる。
エ　上記（１）ア〜エの記載事項、及び、上記（２）ア〜ウの認定事項を総合すると、刊行物３には、「主制御基板５５１を内部空間に収納する透明な基板ボックス２７３のボックスカバー２９０に（（２）ア）、収容部５６１の周壁を構成する段差部５６３と上縁側重なり部５６２ａとを設け（（２）ウ）、不正を抑制するために形成される用途表示部５５５、５５６及び製造地表示部５５７（（２）イ）に該上縁側重なり部５６２ａを当接させる（（２）ウ）」との技術事項（以下「刊行物３記載の技術事項」という。）が記載されていると認められる。
第５　対比
　本願発明と引用発明とを対比する（対比にあたっては、本願発明の構成Ａ〜Ｅと引用発明の構成ａ〜ｅについて、それぞれ（ａ）〜（ｅ）の見出しを付して行った。）。
（ａ）　引用発明の「遊技機を制御する各種の電子部品が実装されるベース基板２１を備えるメイン制御基板２０」は、本願発明の「表面に遊技制御用の電子部品が実装される制御基板」に相当する。
　また、引用発明の「透明な基板カバー２７及び基板ベース２８」は、「前記基板ベース２８の上面側が全面的に前記基板カバー２７で覆われ」「略箱形の形状」をなすものであるから、本願発明の「透明な基板ボックス」に相当する。そして、引用発明において、「前記基板カバー２７の内部に前記メイン制御基板２０ａが収容され」ることは、本願発明において、「透明な基板ボックス」の「内部」に「制御基板」が「収納」されることに相当する。
　したがって、引用発明の「遊技機を制御する各種の電子部品が実装されるベース基板２１を備えるメイン制御基板２０と、ロック部材３５によって封止される透明な基板カバー２７及び基板ベース２８とを備え、前記基板ベース２８の上面側が全面的に前記基板カバー２７で覆われ、前記基板カバー２７の内部に前記メイン制御基板２０ａが収容された略箱形の形状となる、弾球遊技機１０」は、本願発明の「表面に遊技制御用の電子部品が実装される制御基板と、該制御基板を内部に収納するための透明な基板ボックスとを備えた遊技機」に相当する。
（ｂ）　引用発明の構成ｃ、ｃ１に記載されるように、「メイン制御基板２０」は、「前記各識別標識から選択した１つの識別標識以外の識別標識の表示領域部分をすべて切除した状態」で、「基板カバー２７」に「収容」されるから、引用発明の構成ｂ、ｂ２に記載される「複数の表示領域部分」を備える「在庫時の状態のメイン制御基板２０」は、「基板カバー２７」に「収容」する前の基板である。
　したがって、引用発明の「在庫時の状態のメイン制御基板２０」は、本願発明の「前記基板ボックスに収納前の前記制御基板」に相当する。
（ｂ１）　引用発明の「異なる遊技機の機種の間で同一である配線パターンが設けられ、前記電子部品が実装される配線パターンの形成領域」は、本願発明の「複数の機種に共通の配線パターンが設けられ、前記電子部品が実装される実装領域部」に相当する。
（ｂ２）　引用発明の「各々に異なる識別標識が表示され、前記配線パターンの形成領域以外の部分である複数の表示領域部分」は、本願発明の「各々に異なる識別情報が表示され、前記配線パターンが設けられない複数の識別領域部以外の識別領域部」に相当する。
（ｃ）、（ｃ１）　引用発明において、「基板カバー２７」が「メイン制御基板２０ａを内部に収容する」ことは、本願発明において、「基板ボックス」が「制御基板を収納する」ことに相当する。
　また、引用発明の「前記各識別標識から選択した１つの識別標識以外の識別標識の表示領域部分」は、本願発明の「前記複数の識別領域部のうち特定の識別領域部以外の識別領域部」に相当する。さらに、引用発明の「切除」は、本願発明の「切断」に相当する。
　したがって、引用発明の構成ｃ、ｃ１と、本願発明の構成Ｃ、Ｃ１とは、「基板ボックスは」、「前記複数の識別領域部のうち特定の識別領域部以外の識別領域部を切除した状態の前記制御基板を収納する」点で共通する。
（ｄ）　引用発明の「前記在庫時の状態の前記メイン制御基板２０」は、本願発明の「前記制御基板」に相当する。
（ｄ１）　引用発明の「前記複数の表示領域部分」、及び、「前記メイン制御基板２０の一辺側の端部」は、それぞれ本願発明の「前記識別領域部」、及び、「前記制御基板の一側縁」に相当する。また、引用発明の「前記メイン制御基板２０が備えるベース基板２１の一部」と、本願発明の「前記実装領域部の一部」とは、「制御基板の一部」である点で共通する。したがって、引用発明の構成ｄ１と本願発明の構成Ｄ１とは、「前記識別領域部が、前記制御基板の一側縁に前記制御基板の一部と並んで形成されている」点で共通する。
（ｅ）引用発明の構成ｅは、本願発明の構成Ｅに相当する。
　上記（ａ）〜（ｅ）の検討により、本願発明と引用発明とは、
［一致点］
「Ａ　表面に遊技制御用の電子部品が実装される制御基板と、該制御基板を内部に収納するための透明な基板ボックスとを備えた遊技機において、
Ｂ　前記基板ボックスに収納前の前記制御基板は、
Ｂ１　複数の機種に共通の配線パターンが設けられ、前記電子部品が実装される実装領域部と、
Ｂ２　各々に異なる識別情報が表示され、前記配線パターンが設けられない複数の識別領域部と、
　を備え、
Ｃ　前記基板ボックスは、
Ｃ１’　前記複数の識別領域部のうち特定の識別領域部以外の識別領域部を切除した状態の前記制御基板を収納するものであり、
Ｄ　前記制御基板は、
Ｄ１’　前記識別領域部が、前記制御基板の一側縁に前記制御基板の一部と並んで形成されている
Ｅ　ことを特徴とする遊技機。」
である点で一致し、次の点で相違する。
［相違点１］（構成Ｂ３、Ｃ１）
　本願発明は、「前記実装領域部と前記複数の識別領域部との間に設けられた破断部」を備え、「前記複数の識別領域部のうち特定の識別領域部以外の識別領域部を前記破断部において切除」するとの構成を有するのに対して、引用発明は、そのような構成を有さない点。
［相違点２］（構成Ｃ２）
　本願発明は、「前記制御基板の表面に対向する面の前記識別領域部の識別情報表示面に対向する部分に、当該識別領域部に向けて落ち込む段差部を備え」るとの構成を有するのに対して、引用発明は、そのような構成を有さない点。
［相違点３］（構成Ｃ３）
　本願発明は、「前記制御基板の表面に対向する部分が、カバー部材により、前記段差部に当接しないようにカバーされ」るとの構成を有するのに対して、引用発明は、そのような構成を有さない点。
［相違点４］（構成Ｄ１、Ｄ２）
　本願発明は、「前記識別領域部が、前記制御基板の一側縁に前記実装領域部の一部と並んで形成されており、前記識別領域部と前記実装領域部の前記一部との境界に切り込み部を有する」との構成を有するのに対して、引用発明は、そのような構成を有さない点。
第６　当審における判断
１　相違点について
ア　相違点１、４について
　上記相違点１、４は、いずれも「識別領域部」を「実装領域部」から容易に切り離すことができるようにする構成についてのものであるので、まとめて検討する。
　上記「第４　２　刊行物２の記載」に記載のとおり、刊行物２には、「基板本体１００ａと複数の識別情報表示領域１２０ａ〜１２０ｄとの間にミシン目状に複数の貫通穴１２７を設け、かつ、複数の識別情報表示領域１２０ａ〜１２０ｄの両側にスリット１２５を設ける」との技術事項（刊行物２記載の技術事項）が記載されている。また、これにより、識別表示領域１２０ａ〜１２０ｄを基板本体１００ａからミシン目に沿って簡単に除去することができることが記載されている（上記「第４　２（１）イ」の【００５６】を参照）。ここで、「ミシン目状に複数の貫通穴１２７」が設けられた部分と、「スリット１２５」は、それぞれ本願発明の「破断部」、「切り込み部」に相当するものである。
　ここで、本願発明において「識別領域部が」「実装領域部の一部と並んで形成されて」いる点に関しては、ベース基板２１の識別標識の表示領域部分以外のどの部分に電子部品を設けるかは当業者が必要に応じて適宜選択できる程度の設計事項であり、そのように構成したことに格別の発明性があるとは認められない。そして、引用発明の「複数の表示領域部分」と刊行物２に記載の「複数の識別情報表示領域１２０ａ〜１２０ｄ」とは、制御基板に形成された識別情報を表示するための領域であり１つのみ残して切除される点で共通するものであるから、引用発明において刊行物２記載の技術事項を採用し、「複数の表示領域部分」の削除を簡単にできるようにすることは、当業者が容易に想到し得たことである。よって、引用発明に刊行物２記載の技術事項を採用し、上記相違点１、４に係る本願発明の構成とすることは、当業者が容易に想到し得たことである。
イ　相違点２、３について
　上記相違点２、３は、いずれも「識別領域部に向けて落ち込む段差部」に関する構成についてのものであるので、まとめて検討する。
　上記「第４　３　刊行物３の記載」に記載のとおり、刊行物３には、「主制御基板５５１を内部空間に収納する透明な基板ボックス２７３のボックスカバー２９０に、収容部５６１の周壁を構成する段差部５６３と上縁側重なり部５６２ａとを設け、不正を抑制するために形成される用途表示部５５５、５５６及び製造地表示部５５７に該上縁側重なり部５６２ａを当接させる」との技術事項（刊行物３記載の技術事項）が記載されている。また、上縁側重なり部５６２ａを用途表示部５５５、５５６及び製造地表示部５５７に当接させることで、視認性が低下するとの不都合を防止することができるとの効果が記載されている（上記「第４　３（１）エ」の【０１８３】を参照）。ここで、「段差部５６３と上縁側重なり部５６２ａ」、「用途表示部５５５、５５６及び製造地表示部５５７」は、それぞれ本願発明の「識別表示部に向けて落ち込む段差部」、「識別表示部」に相当するものである。
　そして、引用発明の「表示領域部分」と刊行物３に記載の「用途表示部５５５、５５６及び製造地表示部５５７」とは、不正を防止するための表示部という点で共通している。
　一方、本願遡及日前に、制御基板の基板ボックスを封印する構成として、封印シールと制御基板の表面に対向する部分とをカバー部材によりカバーする技術が、周知である（以下「周知技術１」という。例えば、特開２０１１−８３３６７号公報の【００２６】、図３には、透明な基板ボックス３４において、電子タグシール３６と制御基板３５の表面に対向する部分とを保護カバー３７によりカバーすることが記載されている（ここで、【００３５】、【００４８】、【００４９】の記載から、電子タグシール３６が、【０００５】に記載されるような「封印シール」の機能を有することは明らかである。）。特開２０１１−１１０３２７号公報の【００３１】、図３にも同様の事項が記載されている。また、特開２００９−２６１６３９号公報の【０６４０】〜【０６４２】、【０６４４】、【０６４６】、図１２２、１４１には、透明な基板ボックス３０００において、封印シール３１０７と主制御基板１３５０の表面に対向する部分とを封印シールカバー３１０８でカバーすることが記載されている。）。
　そして、引用発明と周知技術１とは、遊技を制御するための制御基板を基板ボックスに収容し封止する点で共通する技術に関するものである。
　これらのことから、引用発明において、「識別情報表示領域１２０ａ〜１２０ｄ」の視認性向上のため刊行物３記載の技術事項を採用し、上記相違点２に係る本願発明の構成とすること、及び、引用発明において、基板カバー２７及び基板ベース２８を封止するための構成として上記周知技術１を適用することとし、その際、段差部とカバー部材が「当接」しないようにすることで上記相違点３に係る構成とすることは、当業者が容易に想到し得たことである（カバー部材を設けるにあたり、視認性向上のために設けた段差部とカバー部材を「当接」させてしまうと、向上させたはずの視認性が損なわれることになるから、段差部とカバー部材が「当接」しないようにすることは、当業者が当然になし得たことである。）。
ウ　よって、本願発明は、引用発明、刊行物２、３に記載の技術事項、及び周知技術１に基づき、当業者が容易に想到し得たものである。
２　請求人の主張について
　請求人は、平成３０年７月３１日付け意見書において、
「本願発明は「前記制御基板の表面に対向する部分が、カバー部材により、前記段差部に当接しないようにカバーされ」という構成（以下「構成（Ａ）」という）を備えています。すなわち、カバー部材が実装領域部を基板ボックスの外側からカバーしているため、基板ボックスのうち実装領域部を覆っている部分が外力で傷つくことを防止でき、基板ボックスに形成された傷が邪魔になって実装領域部がチェック（目視による確認）しにくくなる等の事態を回避することが可能となります。さらに、実装領域部よりもチェック頻度の高い識別領域部については、カバー部材でカバーされていないため、カバー部材を取り外さなくても識別領域部をチェックすることができます。したがって、本願発明は、「基板ボックスに制御基板を収納した状態で識別領域部をチェックする際にも、基板ボックスに制御基板を収納した状態で実装領域部をチェックする際にも、チェックしやすい」という格別の効果（以下「効果（ア）」という）を奏することができます。」との主張する。
　しかしながら、例えば、周知技術１を示す文献として提示した特開２０１１−８３３６７号公報の【００４６】に「このとき、貼着部４６には保護カバー３７を装着しているので、電子タグシール３６が不用意に傷ついたりして識別情報を発信不能となる不都合を未然に防ぐことができる。」と記載されているように、カバー部材にその被覆部分の傷付きを防止する機能があることは当然のことであるから、「基板ボックスに形成された傷が邪魔になって実装領域部がチェック（目視による確認）しにくくなる等の事態を回避することが可能と」なるとの効果が生じることは当業者が予測し得たことにすぎないし、「識別領域部については、カバー部材でカバーされていないため、カバー部材を取り外さなくても識別領域部をチェックすることができ」るとの効果も、当業者が予測し得たことにすぎないから、請求人の主張は採用できない。
３　小括
　本願発明により奏される効果は、引用発明、刊行物２、３に記載の技術事項、及び周知技術１から当業者が予測できる範囲内のものであり、格別顕著なものとは言えない。
　そうすると、上記「１　相違点について」において検討したとおり、本願発明は、引用発明、刊行物２、３に記載の技術事項、及び周知技術１に基いて当業者が容易に発明をすることができたものであるから、特許法第２９条第２項の規定により、特許を受けることができないものである。
第７　むすび 
　以上のとおりであるから、本願発明は、特許法第２９条第２項の規定により特許を受けることができない。
　よって、結論のとおり審決する。